(57)【要約】【課題】読み取った画像ファイルをダウンロードするページのＵＲＬを電子メールで送る画像読取システム（ネットワークスキャン）において、電子メールの内容が漏洩されても他のユーザによりその画像ファイルがダウンロードされるのを防ぐ画像読取装置および画像読取システムを提供する。【解決手段】画像読取部１３０で画像データを読み取ると、Ｗｅｂサーバ部１１１にＷｅｂページとして画像データをダウンロードするページを登録し、操作者から指示されたアドレス情報を宛先として、ダウンロードページのＵＲＬとパスワード２とが記載されたメールを送信する。  そして、画像データをダウンロードする端末が信頼できる場合にはパスワード２だけ、信頼できない場合には予めユーザに登録されたパスワード１とパスワード２による認証が行われる。【選択図】図１
2010212972.tif 000002
【特許請求の範囲】
【請求項１】
メールアドレスに対応して第１のパスワードを記憶する記憶手段と、
前記メールアドレスを指定した画像の読取り登録要求を受付け、画像読取手段により読取った画像データをＷｅｂ上の宛先に登録する登録手段と、
第２のパスワードを生成するパスワード生成手段と、
前記読取った画像データのＷｅｂ登録宛先と、前記第２のパスワードを含む電子メールを当該メールアドレスに送信するメール送信手段と、
Ｗｅｂ上の宛先へのアクセス要求に対してアクセス要求元の信頼性判定を行う信頼性判定手段と、
前記信頼性判定手段による判定結果に応じて、第１と第２のパスワードとを組合せた認証を行う認証手段と、
前記認証手段による認証に成功すると、前記アクセス要求時に指定された前記Ｗｅｂ登録宛先へのアクセスを許可するアクセス制御手段と
を具備する画像読取装置。
【請求項２】
前記認証手段は、
前記信頼性判定手段で前記アクセス要求元が信頼できると判断された場合には該アクセス要求元に第２のパスワードを要求し、前記信頼性判定手段で前記アクセス要求元が信頼できないと判定された場合には該アクセス要求元に第２のパスワードと第１のパスワードとを要求して認証を行う
請求項１記載の画像読取装置。
【請求項３】
前記パスワード生成手段は、
前記画像読取手段で読取った画像データに基づき第２のパスワードを生成する
請求項１または２記載の画像読取装置。
【請求項４】
前記信頼性判定手段は、
判定される前記アクセス要求元に固有の識別アドレスに基づき信頼性を判定する
請求項１乃至３いずれか記載の画像読取装置。
【請求項５】
前記信頼性判定手段は、
判定される前記アクセス要求元が、前回、前記第２のパスワードと前記第１のパスワードとの要求に応じた認証に成功していた場合、該アクセス要求元を信頼できると判定する
請求項１乃至４いずれか記載の画像読取装置。
【請求項６】
前記信頼性判定手段は、
判定される前記アクセス要求元が予め信頼できるものとして登録されている場合には、該アクセス要求元を信頼できると判定する
請求項１乃至５いずれか記載の画像読取装置。
【請求項７】
前記信頼性判定手段は、
判定される前記アクセス要求元が予め信頼できないものとして登録されている場合には、該アクセス要求元を信頼できないと判定する
請求項１乃至６いずれか記載の画像読取装置。
【請求項８】
前記信頼性判定手段は、
判定される前記アクセス要求元がプロキシを経由して前記アクセス要求をしている場合には、該アクセス要求元を信頼できないと判定する
請求項１乃至７いずれか記載の画像読取装置。
【請求項９】
画像読取手段によって画像データを読取る画像読取装置と、電子メールのメールアドレスを有する端末装置とを備え、
前記画像読取装置は、
前記メールアドレスに対応して第１のパスワードを記憶する記憶手段と、
前記メールアドレスを指定した画像の読取り登録要求を受付け、前記画像読取手段により読取った画像データをＷｅｂ上の宛先に登録する登録手段と、
第２のパスワードを生成するパスワード生成手段と、
前記読取った画像データのＷｅｂ登録宛先と、前記第２のパスワードを含む電子メールを当該メールアドレスに送信するメール送信手段と、
Ｗｅｂ上の宛先へのアクセス要求に対してアクセス要求元の信頼性判定を行う信頼性判定手段と、
前記信頼性判定手段による判定結果に応じて、第１と第２のパスワードとを組合せた認証を行う認証手段と、
前記認証手段による認証に成功すると、前記アクセス要求時に指定された前記Ｗｅｂ登録宛先へのアクセスを許可するアクセス制御手段と
を具備し、
前記端末装置は、
前記メール送信手段で送信された電子メールに記載の前記Ｗｅｂ登録宛先にアクセス要求を行う要求手段と、
前記認証手段による認証に応じたパスワードを送信する送信手段と、
前記アクセス制御手段でアクセスを許可された前記Ｗｅｂ登録宛先より前記画像データを取得する取得手段と
を具備する画像読取システム。
【発明の詳細な説明】
【技術分野】
【０００１】
本発明は、画像読取装置および画像読取システムに関する。
【背景技術】
【０００２】
近年、ネットワークに接続された画像読取装置（スキャナ装置）で読み取った画像ファイルをサーバにアップロードし、アップロード先のＵＲＬ（Uniform Resource Locator）を電子メールで端末に送信する画像読取装置が存在する。
【０００３】
特許文献１では、原稿より読み取った画像ファイルを、自動生成されたパスワードを知っている者のみがＷｅｂブラウザでダウンロードできるようにサーバ装置に格納する処理を行うと共に、指定されたアドレスにその画像ファイルをダウンロードするＵＲＬとパスワードとが記された電子メールを送信するようにして、特定の者だけが読み取られた画像ファイルのダウンロードをすることができるようにしたスキャンメール送信装置及びスキャンメール送信システムが提案されている。
【先行技術文献】
【特許文献】
【０００４】
【特許文献１】特開２００４−８６７３１号公報
【発明の概要】
【発明が解決しようとする課題】
【０００５】
読み取った画像ファイルをダウンロードするページのＵＲＬを電子メールで送る画像読取システムにおいて、電子メールの内容が漏洩されても他のユーザによりその画像ファイルがダウンロードされるのを防ぐ画像読取装置および画像読取システムを提供することを目的とする。
【課題を解決するための手段】
【０００６】
上記目的を達成する為に、請求項１の発明の画像読取装置は、メールアドレスに対応して第１のパスワードを記憶する記憶手段と、前記メールアドレスを指定した画像の読取り登録要求を受付け、画像読取手段により読取った画像データをＷｅｂ上の宛先に登録する登録手段と、第２のパスワードを生成するパスワード生成手段と、前記読取った画像データのＷｅｂ登録宛先と、前記第２のパスワードを含む電子メールを当該メールアドレスに送信するメール送信手段と、Ｗｅｂ上の宛先へのアクセス要求に対してアクセス要求元の信頼性判定を行う信頼性判定手段と、前記信頼性判定手段による判定結果に応じて、第１と第２のパスワードとを組合せた認証を行う認証手段と、前記認証手段による認証に成功すると、前記アクセス要求時に指定された前記Ｗｅｂ登録宛先へのアクセスを許可するアクセス制御手段とを具備するように構成される。
【０００７】
また、請求項２の発明は、請求項１の発明において、前記認証手段は、前記信頼性判定手段で前記アクセス要求元が信頼できると判断された場合には該アクセス要求元に第２のパスワードを要求し、前記信頼性判定手段で前記アクセス要求元が信頼できないと判定された場合には該アクセス要求元に第２のパスワードと第１のパスワードとを要求して認証を行うように構成される。
【０００８】
また、請求項３の発明は、請求項１または２の発明において、前記パスワード生成手段は、前記画像読取手段で読取った画像データに基づき第２のパスワードを生成するように構成される。
【０００９】
また、請求項４の発明は、請求項１乃至３いずれかの発明において、前記信頼性判定手段は、判定される前記アクセス要求元に固有の識別アドレスに基づき信頼性を判定するように構成される。
【００１０】
また、請求項５の発明は、請求項１乃至４いずれかの発明において、前記信頼性判定手段は、判定される前記アクセス要求元が、前回、前記第２のパスワードと前記第１のパスワードとの要求に応じた認証に成功していた場合、該アクセス要求元を信頼できると判定するように構成される。
【００１１】
また、請求項６の発明は、請求項１乃至５いずれかの発明において、前記信頼性判定手段は、判定される前記アクセス要求元が予め信頼できるものとして登録されている場合には、該アクセス要求元を信頼できると判定するように構成される。
【００１２】
また、請求項７の発明は、請求項１乃至６いずれかの発明において、前記信頼性判定手段は、判定される前記アクセス要求元が予め信頼できないものとして登録されている場合には、該アクセス要求元を信頼できないと判定するように構成される。
【００１３】
また、請求項８の発明は、請求項１乃至７いずれかの発明において、前記信頼性判定手段は、判定される前記アクセス要求元がプロキシを経由して前記アクセス要求をしている場合には、該アクセス要求元を信頼できないと判定するように構成される。
【００１４】
また、請求項９の発明の画像読取システムは、画像読取手段によって画像データを読取る画像読取装置と、電子メールのメールアドレスを有する端末装置とを備え、前記画像読取装置は、前記メールアドレスに対応して第１のパスワードを記憶する記憶手段と、前記メールアドレスを指定した画像の読取り登録要求を受付け、前記画像読取手段により読取った画像データをＷｅｂ上の宛先に登録する登録手段と、第２のパスワードを生成するパスワード生成手段と、前記読取った画像データのＷｅｂ登録宛先と、前記第２のパスワードを含む電子メールを当該メールアドレスに送信するメール送信手段と、Ｗｅｂ上の宛先へのアクセス要求に対してアクセス要求元の信頼性判定を行う信頼性判定手段と、前記信頼性判定手段による判定結果に応じて、第１と第２のパスワードとを組合せた認証を行う認証手段と、前記認証手段による認証に成功すると、前記アクセス要求時に指定された前記Ｗｅｂ登録宛先へのアクセスを許可するアクセス制御手段とを具備し、前記端末装置は、前記メール送信手段で送信された電子メールに記載の前記Ｗｅｂ登録宛先にアクセス要求を行う要求手段と、前記認証手段による認証に応じたパスワードを送信する送信手段と、前記アクセス制御手段でアクセスを許可された前記Ｗｅｂ登録宛先より前記画像データを取得する取得手段とを具備するように構成される。
【発明の効果】
【００１５】
請求項１の発明によれば、メール送信手段が送信したメールが第３者に盗み見されてもその第３者によるアクセス要求を拒むことができるという効果を奏する。
【００１６】
請求項２の発明によれば、メール送信手段が送信したメールを第３者が盗み見みしても、第３者には知らない第１のパスワードによって、その第３者によるアクセス要求は拒まれる。
【００１７】
請求項３の発明によれば、読み取った画像データに基づき第２のパスワードが生成される。
【００１８】
請求項４の発明によれば、メール送信手段が送信したメールが第３者に盗み見されてもその第３者によるアクセス要求を拒むことができるという効果を奏する。
【００１９】
請求項５の発明によれば、メール送信手段が送信したメールが第３者に盗み見されてもその第３者によるアクセス要求を拒むことができるという効果を奏する。
【００２０】
請求項６の発明によれば、信頼できるアクセス要求元が予め登録される。
【００２１】
請求項７の発明によれば、信頼できないアクセス要求元が予め登録される。
【００２２】
請求項８の発明によれば、メール送信手段が送信したメールが第３者に盗み見されてもその第３者によるアクセス要求を拒むことができるという効果を奏する。
【００２３】
請求項９の発明によれば、メール送信手段が送信したメールが第３者に盗み見されてもその第３者によるアクセス要求を拒むことができるという効果を奏する。
【図面の簡単な説明】
【００２４】
【図１】画像読取システム１の構成を示す模式図。
【図２】アドレス帳管理操作部１２２の処理を示すフローチャートである。
【図３】パスワード１の管理を示す図。
【図４】アドレス帳情報の管理を示す図。
【図５】画像読取装置１００での処理を示すフローチャート。
【図６】画像読取装置１００での処理を示すフローチャート。
【図７】画像読取装置１００での処理を示すフローチャート。
【図８】送信先が選択される様子を示す図。
【図９】送信される電子メールを示す模式図。
【図１０】電子メールを受信したＰＣ１０の処理を示す模式図。
【図１１】アクセスされたＷｅｂサーバ部１１１の処理を示すフローチャート。
【図１２】信頼性判定の条件を示した図。
【図１３】Ｗｅｂサーバ部１１１にアクセスするＰＣ１０の表示部１１を示す図。
【図１４】Ｗｅｂページが格納される処理を示すフローチャート。
【図１５】第２実施例における送信先への電子メールの内容等を示す模式図。
【図１６】第３実施例におけるアドレス帳情報等を示す模式図。
【発明を実施するための形態】
【００２５】
以下、本発明の実施例について添付図面を参照して詳細に説明する。
【実施例１】
【００２６】
まず、画像読取システム１について図１を参照して説明を行う。
【００２７】
図１は、画像読取システム１の構成を示した模式図である。
【００２８】
図１に示すように画像読取システム１は、パーソナルコンピュータ１０−１、パーソナルコンピュータ１０−２と画像読取装置１００とが通信回線２を介して通信可能に接続されて構成される。
【００２９】
パーソナルコンピュータ１０−１とパーソナルコンピュータ１０−２とは同じ構成を有しているが、それぞれ異なるメールアドレスを有している。
【００３０】
パーソナルコンピュータ１０−１、パーソナルコンピュータ１０−２を総称してパーソナルコンピュータ１０（以下、ＰＣ１０と呼ぶ）と称して説明を行う。
【００３１】
ＰＣ１０は、表示部１１、入力部１２、記憶部１３、制御部１４を有する。
【００３２】
表示部１１は、ディスプレイで構成され、ユーザに情報を提供する。
【００３３】
入力部１２は、キーボードやマウスにより構成され、ユーザからの指示を受け付ける。
【００３４】
記憶部１３は、ＲＡＭ（Random Access Memory）、ＲＯＭ（Reed Only Memory）、ハードディスクにより構成され、ＰＣ１０を動作させるＯＳやメールソフト、インターネットを閲覧するブラウザのプログラム等を記憶する。
【００３５】
制御部１４は、ＣＰＵ（Central Processing Unit）で構成され、ＰＣ１０を統括的に制御し、メールソフトやブラウザなどのプログラムの制御を行う。
【００３６】
また、画像読取装置１００は、コントローラ１１０、操作パネル１２０、画像読取部１３０を備え、コントローラ１１０はＷｅｂサーバ部１１１、Ｗｅｂページ登録部１１２、データフォーマット部１１３、画像処理部１１４、通知メール作成部１１５、送信先管理部１１６、アドレス帳管理部１１７、スキャンジョブ制御部１１８を有し、また操作パネル１２０はアドレス帳表示／選択部１２１、アドレス帳管理操作部１２２、スキャンパラメータ入力部１２３、スキャン指示部１２４を有する。
【００３７】
Ｗｅｂサーバ部１１１は、ＨＴＭＬ（HyperText Markup Language）で記述されたページを記憶し、通信回線２を介してＷｅｂサーバ部１１１に接続する端末（ＰＣ１０）に各種パスワード認証の後そのページを送信する。
【００３８】
Ｗｅｂサーバ部１１１が記憶するＨＴＭＬ言語のページは、画像ファイルをダウンロードするためのページであり、Ｗｅｂサーバ部１１１は、その画像ファイルも記憶する。
【００３９】
Ｗｅｂページ登録部１１２は、次に説明するデータフォーマット部１１３でフォーマットされた画像ファイルをＰＣ１０が閲覧できるようにＨＴＭＬで記述されたページを作成して、それらをＷｅｂサーバ部１１１に格納する。
【００４０】
データフォーマット部１１３は、画像処理部１１４で処理された画像データをユーザより指定されるフォーマット（ＪＰＥＧ（Joint Photographic Experts Group）やＴＩＦＦ（Tagged Image File Format）等）に変換する処理を行う。
【００４１】
画像処理部１１４は、画像読取部１３０で読み取られた画像データに対して、ユーザより指定されるパタメータに従い、画質の向上のための色変換処理や画像の向きを合わせるための回転処理などを行う。
【００４２】
通知メール作成部１１５は、指定されたＰＣ１０宛となる、画像ファイルをダウンロードするためのＷｅｂサーバ部１１１のアドレスとなるＵＲＬとダウンロードページを開くためのパスワードとなるパスワード２とが記載された電子メールを作成して、宛先であるＰＣ１０に送信する処理を行う。（画像読取システム１では、パスワード１とパスワード２との２種類のパスワードが存在する。）
送信先管理部１１６は、ＲＡＭにより構成され、通知メール作成部１１５で作成される電子メールの宛先である送信先情報を記憶する。
【００４３】
送信先管理部１１６が記憶する送信先情報は、アドレス帳管理部１１７に管理されるアドレス帳情報よりアドレス帳表示／選択部１２１で選択された情報である。
【００４４】
アドレス帳管理部１１７は、アドレス帳情報を記憶管理する。
【００４５】
アドレス帳情報は、各ＰＣ１０を操作するユーザの「ユーザ名」と各ＰＣ１０の「メールアドレス」と各々のユーザが設定したパスワードである「パスワード１」とが記された情報である。
【００４６】
スキャンジョブ制御部１１８は、画像読取部１３０を制御する。
【００４７】
また、操作パネル１２０に含まれるアドレス帳表示／選択部１２１は、アドレス帳管理部１１７に記憶管理されるアドレス帳情報をユーザに表示して、ユーザから、画像読取部１３０より読取られる画像データの送りたい送信先の選択を受け付ける。
【００４８】
アドレス帳表示／選択部１２１が受け付けた送信先が、通知メール作成部１１５で作成される電子メールの宛先となる。
【００４９】
そして、アドレス帳表示／選択部１２１は、受け付けた送信先の情報を送信先情報として送信先管理部１１６に送る。
【００５０】
アドレス帳管理操作部１２２は、ユーザの操作により、アドレス帳管理部１１７に記憶管理するユーザの「ユーザ名」や「メールアドレス」、「パスワード１」の入力を受け付ける。
【００５１】
スキャンパラメータ入力部１２３は、ユーザの操作により、画像読取部１３０で読取った画像データに対して画像処理部１１４、データフォーマット部１１３で行われる処理のパラメータを受け付ける。
【００５２】
スキャン指示部１２４は、ユーザより、画像読取部１３０にセットされた原稿の画像読取の指示を受け付ける。
【００５３】
画像読取部１３０は、セットされた原稿に光を照射しながら反射光を受光する走査を行い、その原稿の画像データを取得する。
【００５４】
このように構成される画像読取システム１では、各ＰＣ１０を操作するユーザ毎に、ユーザが個別に設定するパスワードである「パスワード１」がアドレス帳管理部１１７に記憶される。
【００５５】
そして、ユーザが画像読取部１３０に原稿をセットして、原稿より読取られる画像ファイルの送信先を選択すると、選択された送信先に電子メールが送信され、その電子メールには画像ファイルのダウンロードページのＵＲＬと閲覧する為のパスワードであるパスワード２とが記されている。
【００５６】
その電子メールの受信先では、電子メール内に記されるパスワード２や場合によっては予め設定されたパスワード１を使って電子メール内のＵＲＬにアクセスして、画像ファイルをダウンロードする。
【００５７】
画像読取システム１では、画像ファイルのダウンロードに際し場合によっては２つのパスワードが使用されるので、電子メールの内容が漏洩されてもセキュリティが確保される。
【００５８】
次に、画像読取装置１００のアドレス帳管理操作部１２２で行われる、電子メールの送信先の登録と、パスワード１の登録の処理について図２を参照して説明を行う。
【００５９】
図２は、画像読取装置１００のアドレス帳管理操作部１２２で行われる処理について示したフローチャートである。
【００６０】
まず、アドレス帳管理操作部１２２は、ＰＣ１０を使用しているユーザの「ユーザ名」とそのＰＣ１０の「メールアドレス」の入力を受け付ける（ステップ２０１）。
【００６１】
そして、アドレス帳管理操作部１２２は、ステップ２０１で受け付けたユーザに対応するパスワードの入力を「パスワード１」として受け付ける（ステップ２０２）。
【００６２】
ステップ２０２で受け付けたパスワード１は、アドレス帳管理操作部１２２に入力するユーザが決定するパスワードである。
【００６３】
ステップ２０２でパスワード１を入力したユーザは、パスワード１を図３に示すように、自分が使用するＰＣ１０に記憶させることやパスワード管理台帳に記述するなどして独自に管理する。
【００６４】
このように、アドレス帳管理操作部１２２で受け付けた「ユーザ名」、「メールアドレス」、「パスワード１」とは、１つのアドレス情報としてアドレス帳管理部１１７に記憶管理される。
【００６５】
また、アドレス帳管理部１１７に記憶されるアドレス情報は、このようなアドレス帳管理操作部１２２からの入力だけでなく、通信回線２を介して画像読取装置１００と通信可能なＰＣ１０から専用ユーティリティソフトウェアによる入力によっても作成される。
【００６６】
次に、アドレス帳管理部１１７に記憶管理されるアドレス情報について図４を参照して説明する。
【００６７】
図４は、アドレス帳管理部１１７に記憶管理されるアドレス情報について示した模式図である。
【００６８】
アドレス帳管理操作部１２２が受け付けた「ユーザ名」、「メールアドレス」、「パスワード１」のアドレス情報は、図４（ａ）に示すようにそれぞれ番号が付されて記憶される。
【００６９】
また、アドレス帳管理操作部１２２に記憶管理されるアドレス情報のパスワード１は、アドレス帳管理操作部１２２からの操作によって変更が可能である。
【００７０】
そして、アドレス帳管理操作部１２２に記憶管理されるパスワード１が変更される場合には、図４（ｂ）に示すように、現在設定されているパスワード１の入力が要求されて、変更後のパスワード１の入力が要求される。このような処理により、他のユーザによるパスワード１の改ざんが防止される。
【００７１】
また、図４（ｃ）に示すように、アドレス帳管理操作部１１７の動作の開始時に、管理者用パスワードの入力が必要な構成にすることで、アドレス帳管理操作部１１７が記憶管理するアドレス情報全体のセキュリティを保つことができる。
【００７２】
また、アドレス帳管理操作部１２２によりアドレス情報が管理者やユーザに表示される場合には、パスワード１は「＊」で表示されその内容が確認できないようになっている。
【００７３】
次に、画像読取装置１００で行われる処理について、図５、図６、図７を参照して説明を行う。
【００７４】
図５、図６、図７は画像読取装置１００で行われる処理を示したフローチャートである。
【００７５】
画像読取装置１００では、図５に示すように、画像読取装置１００を操作するユーザが、原稿から読み取る画像ファイルの送信先を、アドレス帳表示／選択部１２１より選択する（ステップ５０１）。
【００７６】
アドレス帳表示／選択部１２１より送信先が選択される様子は、図８に示すように、アドレス情報として「ユーザ名」と「メールアドレス」が表示されているユーザの中から所望のユーザを選択する。
【００７７】
アドレス帳表示／選択部１２１より選択された送信先の情報は送信先情報として「ユーザ名」、「メールアドレス」、「パスワード１」が送信先管理部１１６に記憶される。
【００７８】
そして、画像読取装置１００を操作するユーザは、読み取られる原稿を画像読取部１３０にセットして、原稿の読み取りに関わる各種パラメータをスキャンパラメータ入力部１２３より入力する（ステップ５０２）。
【００７９】
スキャンパラメータ入力部１２３より入力されるパラメータは、解像度やカラー／白黒また読み取った画像データを保存する画像ファイルのフォーマット（ＪＰＥＧやＴＩＦＦ等）等である。
【００８０】
そしてユーザは、スキャン指示部１２４より画像読取を指示する（ステップ５０３）。
【００８１】
スキャン指示部１２４より指示された画像読取部１３０では、セットされた原稿の画像データの読取りを開始する（ステップ５０４）。
【００８２】
ここで、画像読取ジョブであるサブルーチンとなるステップ５０４の処理について図６を参照して詳しく説明する。
【００８３】
図６は、サブルーチン５０４の画像読取ジョブを詳しく説明するフローチャートである。
【００８４】
画像読取の指示が行われると、画像読取部１３０は、図６に示すように、セットされた原稿の画像データの読取りを行う（ステップ６０１）。
【００８５】
画像読取部１３０で読み取られた画像データは、画像処理部１１４で、指示されたパラメータに従って画像処理が行われ（ステップ６０２）、その後、データフォーマット部１１３で指示されたフォーマットの画像ファイルに変換される（ステップ６０３）。
【００８６】
このように画像読取部１３０にセットされた原稿の全てが、画像データとして読み取られ、指示された画像処理と画像ファイルへの変換が行われると（ステップ６０４でＹＥＳ）、データフォーマット部１１３で変換された画像ファイルがＷｅｂページ登録部１１２に送られ、Ｗｅｂページの登録処理が行われる（ステップ６０５）。
【００８７】
ここで、Ｗｅｂページの登録処理であるサブルーチンとなるステップ６０５の処理について図７を参照して詳しく説明する。
【００８８】
図７は、サブルーチン６０５のＷｅｂ登録処理を詳しく説明するフローチャートである。
【００８９】
データフォーマット部１１３で処理された画像ファイルがＷｅｂページ登録部１１２に送られると、Ｗｅｂページ登録部１１２は、送られた画像ファイルをＷｅｂサーバ部１１１に格納する（ステップ７０１）。
【００９０】
そして、Ｗｅｂページ登録部１１２はパスワード２を生成する（ステップ７０２）。
【００９１】
パスワード２は、送信先に送られる電子メールに記載されるパスワードである。
【００９２】
パスワード２の生成は、Ｗｅｂサーバ部１１１に格納された画像データのハッシュ値に基づき生成されるようにしてもよい。
【００９３】
そして、Ｗｅｂページ登録部１１２は、Ｗｅｂサーバ部１１１に格納された画像ファイルをダウンロードできるＷｅｂページをＨＴＭＬ言語で作成する（ステップ７０３）。
【００９４】
Ｗｅｂページ登録部１１２は、ステップ７０３で、Ｗｅｂページを、Ｗｅｂサーバ部１１１に格納された画像ファイルへのリンクが含まれるように作成する。
【００９５】
また、Ｗｅｂページ登録部１１２は、ステップ７０３で、Ｗｅｂページを、Ｗｅｂページへのアクセスにパスワード２、或いはパスワード２と送信先（ステップ５０１で選択された）が設定したパスワード１とによるパスワード認証によるアクセス制限が行われるように作成する。
【００９６】
そして、Ｗｅｂページ登録部１１２は、Ｗｅｂページを、ユーザの利便の為に、サムネール（ダウンロードされる画像データを縮小した画像データ）、画像読取りが行われた日時、ユーザが指示した画像処理のパラメータや画像ファイルのフォーマットなどが表示されるように作成することもできる。
【００９７】
そして、Ｗｅｂページ登録部１１２は、ステップ７０３で作成したＷｅｂページを、Ｗｅｂサーバ部１１１に格納して、送信先（ステップ５０１で選択された）と関連したＵＲＬでアクセスされるようにＷｅｂ上に登録する（ステップ７０４）。
【００９８】
ステップ７０４での送信先と関連したＵＲＬは、例えば、ＵＲＬの末尾等に送信先の識別番号を記しておくなどして構成される。
【００９９】
ステップ５０１で複数の送信先が選択された場合には、それぞれの送信先毎に異なるＵＲＬが設定される。それぞれのＵＲＬには対応する送信先を識別する識別番号が末尾等に記されているが、これらのＵＲＬは、同じ画像ファイルをダウンロードするためのＷｅｂページのＵＲＬである。
【０１００】
そして、Ｗｅｂサーバ部１１１は、格納されたＷｅｂページのＵＲＬがどの送信先と関連付けられているのかと、格納されたＷｅｂページへのアクセス制限の為のパスワード２とを記憶する。
【０１０１】
Ｗｅｂサーバ部１１１に格納されたＷｅｂページへのアクセスには、アクセス元のＩＰアドレスやＭＡＣアドレス等に基づきアクセス元が信頼できるか否かが判断され、信頼できる場合にはパスワード２の入力が、信頼できない場合にはパスワード２とパスワード１との入力が要求されようにしてアクセス制限が行われる。
【０１０２】
Ｗｅｂサーバ部１１１に作成されたＷｅｂページが格納されると、次に、通知メール作成部１１５が、ステップ５０１で選択された送信先であって送信先管理部１１６に送信先情報として記憶される送信先に送信する電子メールを作成する。
【０１０３】
通知メール作成部１１５が作成する電子メールは、図９に示すように、送信先管理部１１６に記憶される送信先情報に基づき、宛先がステップ５０１で選択された送信先のメールアドレスである。
【０１０４】
図９は、画像形成装置１００の通知メール作成部１１５が作成する電子メールを示す模式図である。
【０１０５】
また、通知メール作成部１１５が作成する電子メールの内容は、図９に示すように、Ｗｅｂサーバ部１１１に格納されたＷｅｂページへアクセスするＵＲＬとＷｅｂページ登録部１１２がステップ７０２で作成したパスワード２とが記される。
【０１０６】
図９では、送信先が「Suzuki」さんであり、電子メールの内容に記載されるＷｅｂページへのアクセスＵＲＬは、参照番号９０１に示すように末尾に「Suz001」と記されたＵＲＬである。このＵＲＬはSuzukiさん専用のＷｅｂページであり、このＵＲＬにパスワード１が必要なアクセスが行われると「Suzuki」さんからのアクセスと想定してアドレス帳管理部１１７に記憶管理される「Suzuki」さんのパスワード１が使用されてパスワード認証が行われる。
【０１０７】
このように送信先に関連したＵＲＬが作成されることによりパスワード１のパスワード認証が行われる。
【０１０８】
このように通知メール作成部１１５で作成されたダウンロードページのＵＲＬとパスワード２とが記された電子メールが選択された送信先へ送信される（ステップ６０６）。
【０１０９】
アドレス帳表示／選択部１２１で送信先が複数選択されて通知メール作成部１１５に複数の送信先の送信先情報が記憶される場合には、それぞれの送信先毎に異なるＵＲＬがステップ７０４で作成されているので、作成されたＵＲＬが記載された電子メールがＵＲＬ毎に作成され、それぞれ対応する送信先へ送信される。
【０１１０】
電子メールが送信されると、送信先管理部１１６に記憶される送信先情報は削除される。
【０１１１】
電子メールが送信されると、画像読取装置１００での処理は一旦終了される。
【０１１２】
次に、電子メールが送信されたＰＣ１０での処理について図１０を参照して説明を行う。
【０１１３】
図１０は、画像読取装置１００より送られた電子メールを受信したＰＣ１０での処理を示す模式図である。
【０１１４】
画像読取装置１００より送られた電子メールを受信したＰＣ１０では、その電子メールが開封される。
【０１１５】
ユーザは、図１０に示すように、電子メールに記載されるＵＲＬとパスワード２とを確認して、そのＵＲＬに記載されるＷｅｂページにブラウザによりアクセスを行う。
【０１１６】
この際使用されるブラウザは、例えば、InternetExplorerやFireFoxなどの汎用的なものである。
【０１１７】
次に、ＰＣ１０のブラウザよりＷｅｂサーバ部１１１のＷｅｂページにアクセスが行われた後の画像読取装置１００のＷｅｂサーバ部１１１での処理について図１１を参照して説明を行う。
【０１１８】
図１１は、Ｗｅｂサーバ部１１１に格納されるＷｅｂページにアクセスがされた後のＷｅｂサーバ部１１１での処理を示すフローチャートである。
【０１１９】
Ｗｅｂサーバ部１１１では、アクセスしてきたＰＣ１０の信頼性をＩＰアドレスやＭＡＣアドレス等に基づき判定する（ステップ１１０１）。
【０１２０】
ＰＣ１０の信頼性の判定は、図１２に示すように、所定の条件に含まれると信頼できると判定され、所定の条件に含まれると信頼できないと判定される。
【０１２１】
ここで、信頼できると判定される条件と信頼できないと判定される条件について図１２を参照して説明する。
【０１２２】
図１２は、信頼できると判定される条件と信頼できないと判定される条件とを記した図である。
【０１２３】
図１２に示すように、信頼できると判定される条件の一つは、まずアクセスしてきたＰＣ１０のＩＰアドレス或いはＭＡＣアドレスを識別し、そのアドレスが前回パスワード２とパスワード１とによる２重認証に成功した端末である場合である。
【０１２４】
また、信頼できると判定される他の条件の一つは、図１２に示すように、アクセスをしてきたＰＣ１０のＩＰアドレス或いはＭＡＣアドレスを識別し、そのアドレスが信頼できる端末であると予め登録されていたものである場合である。
【０１２５】
また、信頼できると判定される他の条件の一つは、図１２に示すように、アクセスをしてきたＰＣ１０のＩＰアドレス或いはＭＡＣアドレスを識別し、そのアドレスが信頼できるものとして予め登録された範囲内のＩＰアドレス或いはＭＡＣアドレスである場合である。
【０１２６】
そして、図１２に示すように、信頼できないと判定される条件の一つは、アクセスをしてきたＰＣ１０のＩＰアドレス或いはＭＡＣアドレスを識別し、そのアドレスが信頼できないものとして予め登録された範囲内のＩＰアドレス或いはＭＡＣアドレスである場合である。
【０１２７】
また、信頼できないと判定される他の条件の一つは、Ｗｅｂサーバ部１１１へのアクセスがプロキシ経由のアクセスである場合である。
【０１２８】
このように信頼できると判定される条件と信頼できないと判定される条件とは、それぞれ複数存在するが、複数の条件を組み合わせた論理和による条件で判定をしたり、或いは複数の条件を組み合わせた論理積による条件で判定を行うことができる。
【０１２９】
このような条件により判定された結果、アクセスしてきたＰＣ１０が信頼できると判定された場合には（ステップ１１０１で信頼できる場合）、図１３（ａ）に示すようにＰＣ１０にパスワード２の入力を要求する（この場合にはパスワード１は要求されない）。
【０１３０】
図１３（ａ）はＰＣ１０の表示部１１に表示されるパスワード２を要求する画面の模式図である。
【０１３１】
また、Ｗｅｂサーバ部１１１にアクセスしてきたＰＣ１０が信頼できないと判定された場合には（ステップ１１０１で信頼できない場合）、図１３（ｂ）に示すようにＰＣ１０にパスワード２とパスワード１との入力を要求する。
【０１３２】
図１３（ｂ）はＰＣ１０の表示部１１に表示されるパスワード２とパスワード１とを要求する画面の模式図である。
【０１３３】
パスワード２は、ＰＣ１０に送信された電子メールに記載されるパスワードであるが、パスワード１は、ユーザが予め設定したパスワードであるため、パスワード１の入力が要求されることで、その電子メールが仮に通信経路上等で漏洩されていたとしても本人確認が可能となる。
【０１３４】
また、仮に電子メールの内容が漏洩しても、その内容を利用してアクセスする人物が「信頼できる」ＰＣ１０を用いるのは困難であり、「信頼できない」と判断された場合にはユーザ本人が設定したパスワード１の入力が求められる。
【０１３５】
Ｗｅｂサーバ部１１１は、ＰＣ１０より入力されたパスワードを、パスワード２についてはアクセスされているＷｅｂページと関連して記憶しているパスワード２と同じかどうかを確認する。
【０１３６】
また、Ｗｅｂサーバ１１１は、ＰＣ１０より入力されたパスワードを、パスワード１については、アクセスされているＷｅｂページのＵＲＬに基づきそのＵＲＬに関連する送信者を決定し、アドレス帳管理部１１７に記憶されるアドレス帳情報よりその送信者の正しいパスワード１を取得して認証する。
【０１３７】
このようにしてパスワードが正しいと確認された場合には（ステップ１１０４でＹＥＳ）、図１３（ｃ）に示すように、アクセスをされたＷｅｂページ上で画像ファイルをダウンロード可能なページに遷移する（ステップ１１０５）。
【０１３８】
ユーザは図１３（ｃ）に示す画像ファイルをダウンロード可能なページより、Ｗｅｂサーバ部１１１に格納された画像ファイルをＰＣ１０にダウンロードする。
【０１３９】
また、ステップ１１０４でパスワードが正しくないと確認された場合には（ステップ１１０４でＮＯ）、画像ファイルをダウンロード可能なページへは遷移せず、処理は終了する。
【０１４０】
尚、画像読取装置１００内にＷｅｂサーバ部１１１を設けないで、画像読取装置１００の外部にあって図示しないＷｅｂサーバに、ステップ７０３で作成したＷｅｂページを格納して、ＰＣ１０からその図示しないＷｅｂサーバにＷｅｂページへのアクセスが行われるようにも構成できる。
【０１４１】
その際、図示しない外部のＷｅｂサーバは、Ｗｅｂページを格納し、Ｗｅｂページより画像ファイルがダウンロードされる際のパスワード１とパスワード２とその画像ファイルとを記憶する。
【０１４２】
尚、Ｗｅｂサーバ部１１１に格納される画像ファイルをダウンロードすることができるＷｅｂページへのアクセス制限は、ＷｅｂページがＨＴＭＬ言語で作成される際にアクセス制限の構成が組み込まれるように説明したが、Ｗｅｂサーバ部１１１に格納されるＷｅｂページにＰＣ１０からアクセスが試みられる際にＷｅｂサーバ部１１１によってパスワード２、或いはパスワード１とパスワード２によるパスワード認証が行われるように構成することもできる。そのように構成される場合の画像読取装置１００の処理は図５、図６を参照して説明したフローチャートで表される処理と同じであるが、図７を参照して説明したＷｅｂページの登録処理は異なるので、以下、Ｗｅｂページの登録処理について図１４を参照して説明を行う。
【０１４３】
図１４は、Ｗｅｂサーバ部１１１がアクセス制限を行う場合にＷｅｂサーバ部１１１にＷｅｂページが格納される処理を示したフローチャートである。
【０１４４】
図１４に示すように、データフォーマット部１１３で処理された画像ファイルがＷｅｂページ登録部１１２に送られると、Ｗｅｂページ登録部１１２は、送られた画像ファイルをＷｅｂサーバ部１１１に格納する（ステップ１４０１）。
【０１４５】
そして、Ｗｅｂページ登録部１１２は、Ｗｅｂサーバ部１１１に格納された画像ファイルをダウンロードするためのＷｅｂページをＨＴＭＬ言語で作成する（ステップ１４０２）。
【０１４６】
Ｗｅｂページを作成するとＷｅｂページ登録部１１２は、パスワード２を生成する（ステップ１４０３）。
【０１４７】
Ｗｅｂサーバ部１１１は、ステップ１４０２で作成されたＷｅｂページを格納し、Ｗｅｂページ登録部１１２で生成されたパスワード２などでアクセス制限が行われるようにＷｅｂ上に登録する（ステップ１４０４）。
【０１４８】
このように登録されたＷｅｂページがＰＣ１０からアクセスされた場合には、Ｗｅｂサーバ部１１１がＰＣ１０からのアクセスに対してパスワード認証を行い、そのパスワード認証による認証に成功した後に登録されたＷｅｂページへのアクセスが許可される。
【０１４９】
Ｗｅｂサーバ部１１１による認証は、ＷｅｂページへアクセスしてきたＰＣ１０が信頼できると判断された場合にはパスワード２による認証が行われ、ＷｅｂページへアクセスしてきたＰＣ１０が信頼できないと判断された場合にはパスワード２とパスワード１とによる認証が行われる。
【実施例２】
【０１５０】
第２実施例では第１実施例とは異なる個所について説明を行う。
【０１５１】
第１実施例と同じ参照番号で示されるものは、第１実施例で説明した内容と同じ構成を備えるものとして説明を省略する。
【０１５２】
第１実施例では、ＷｅｂページのＵＲＬを電子メールの送信先毎（ステップ５０１で選択）に異ならせて送信先が識別されるように構成されてパスワード１の認証が可能となったが、第２実施例では、ユーザに「パスワード１」の入力が要求される場合にはユーザの「ユーザ名」或いは「メールアドレス」の入力も要求されるように構成される。
【０１５３】
それで、第２実施例では、送信先に送られる電子メールに記載されるＵＲＬは、送信先を識別する識別番号などはついていない。
【０１５４】
それで、送信先が複数の場合でも画像ファイルがダウンロードされるＷｅｂページのＵＲＬは一つのＵＲＬで表現される。
【０１５５】
画像読取装置１００で受け付けた送信先へ送られる電子メールの内容を図１５を参照して説明を行う。
【０１５６】
図１５（ａ）は、図６のステップ６０６で送信先に送られる電子メールの内容を示す模式図である。
【０１５７】
第２実施例では、送信先に送られる電子メールの内容に記されるＵＲＬは、図１５（ａ）に示すように、ＵＲＬの末尾に送信先のユーザを識別する識別番号などは記されていない。
【０１５８】
それで、複数の送信先に対して電子メールが送られる場合でも電子メールの内容に記載されるＵＲＬは同じＵＲＬとなるので、電子メールの内容は同じとなり、その電子メールが複数の送信先に対して電子メールソフトの一括送信機能が使用されて一度に送信されるようにも構成できる。
【０１５９】
そして、このようなＵＲＬが記された電子メールが送信されたＰＣ１０では、ユーザによりそのＵＲＬへアクセスされる。
【０１６０】
図１１を参照して第１実施例で説明したようにＷｅｂサーバ部１１１にアクセスしてきたＰＣ１０が信頼できないと判定された場合には（図１１のステップ１１０１の信頼できないの場合）、画像読取装置１００は、図１５（ｂ）（ｃ）に示すように、パスワード２、パスワード１と共にＰＣ１０を操作するユーザの「ユーザ名」（図１５（ｂ））若しくは「メールアドレス」（図１５（ｃ））の入力をＰＣ１０に要求する（図１１のステップ１１０３の処理となる）。
【０１６１】
図１５（ｂ）（ｃ）に示すようにパスワード１、パスワード２と「ユーザ名」（図１５（ｂ））或いは「メールアドレス」（図１５（ｃ））の入力を要求するアクセス制御は、ＨＴＭＬ言語で構成されるＷｅｂページが行ってもよいし、Ｗｅｂサーバ部１１１が行ってもよい。
【０１６２】
そして、入力された「ユーザ名」或いは「メールアドレス」に基づき、Ｗｅｂページが（認証がＷｅｂサーバ部１１１で行われる場合にはＷｅｂサーバ部１１１が）アドレス帳管理部１１７に記憶されるその「ユーザ名」或いは「メールアドレス」に対応した正しいパスワード１を取得して、入力されたパスワード１が正しいか否かの判定を行う（図１１のステップ１１０３から続くステップ１１０４の処理となる）。
【０１６３】
このように、第２実施例では、パスワード１の認証が、パスワード１と共に入力を要求して受け付けた「ユーザ名」或いは「メールアドレス」に基づき、正しいパスワード１が取得されて認証される。
【０１６４】
尚、第２実施例でも第１実施例と同様に、もちろん、ＷｅｂページにアクセスするＰＣ１０の信頼性を判断してパスワード等を要求するアクセス制御は、ＨＴＭＬ言語で作成されるＷｅｂページレベルで行われるように構成されてもよいし、Ｗｅｂサーバ部１１１が行うように構成されてもよい。
【実施例３】
【０１６５】
第３実施例では第１実施例と異なる個所について説明を行う。
【０１６６】
第１実施例と同じ参照番号で示されるものは、第１実施例で説明した内容と同じ構成を備えるものとして説明を省略する。
【０１６７】
第１実施例では、パスワード１のパスワード認証を可能にするために、アクセスされるＷｅｂページのＵＲＬが送信先毎に異なって送信先に対応したＵＲＬを備える構成であった。そして、アクセスされたＵＲＬに基づきアクセスしてきたであろうユーザを決定して、そのユーザの正しいパスワード１が取得された。
【０１６８】
第２実施例では、「パスワード１」の入力要求とともに、ユーザの「ユーザ名」或いは「メールアドレス」の入力要求を行い、入力された「ユーザ名」或いは「メールアドレス」に基づきアクセスしてきたユーザの正しいパスワード１が取得された。
【０１６９】
第３実施例では、予めアドレス帳管理１１７に管理されるアドレス帳情報に、ユーザの「ユーザ名」、「メールアドレス」、「パスワード１」の他にユーザが使用する端末の「ＩＰアドレス」も管理する構成となる。そして、Ｗｅｂサーバ部１１１に格納されるＷｅｂページにアクセスしてきた端末のＩＰアドレスに基づき、アドレス帳情報に管理される正しいパスワード１が取得される構成となる。
【０１７０】
まず、第１実施例では図２を参照して説明したアドレス帳管理操作部１２２で行われる処理について、図２のステップ２０１、２０２で送信先の登録が行われる処理では、図１６（ａ）に示すように、ユーザの「ユーザ名」、「メールアドレス」、「パスワード」の入力に加えて、ユーザが利用する端末であるＰＣ１０の「ＩＰアドレス」の入力が行われる。
【０１７１】
その際、ＩＰアドレスの入力の際には、ＰＣ１０が画像読取装置１００と同じサブネットに接続されている場合にはＰＣ１０のＭＡＣアドレスの入力が行われてもよい。
【０１７２】
図１６（ａ）はアドレス帳管理操作部１２２によってアドレス帳管理部１１７に入力されたアドレス帳情報を示す模式図である。
【０１７３】
そして、第１実施例の図７を参照して説明したステップ７０４での処理は、送信先を識別する為の識別番号などが記されていないＵＬＲが作成される。
【０１７４】
それで、第１実施例の図９を参照して説明した、送信先に送られる電子メールの内容に記されるＵＲＬは、複数の送信先に対して送られる場合にでも同じＵＲＬとなるので、同じ内容の電子メールが複数の送信先に対して電子メールの一括送信機能が使用されて一度に送信されるようにも構成できる。
【０１７５】
電子メールが送られたＰＣ１０では、図１６（ｂ）に示すように電子メールに記されるＵＲＬにアクセスされる。
【０１７６】
そして、アクセス制限により図１６（ｃ）に示すようにパスワード１、パスワード２をＷｅｂサーバ部１１１が受け付けた場合には、アクセスしてきた端末であるＰＣ１０のＩＰアドレスに基づきアドレス帳管理部１１７に記載されるそのＩＰアドレスに対応する正しいパスワード１を取得してパスワード認証が行われる（図１１のステップ１１０４の処理となる）。
【０１７７】
このように、第３実施例では、パスワード１の認証が、アクセスしてきたＰＣ１０の「ＩＰアドレス」に基づき、予めアドレス帳情報に登録された「ＩＰアドレス」に対応する正しいパスワード１が取得されて認証が行われる。
【０１７８】
尚、第３実施例でも第１実施例と同様に、もちろん、ＷｅｂページにアクセスするＰＣ１０の信頼性を判断してパスワード等を要求するアクセス制御は、ＨＴＭＬ言語で作成されるＷｅｂページレベルで行われるように構成されてもよいし、Ｗｅｂサーバ部１１１が行うように構成されてもよい。
【産業上の利用可能性】
【０１７９】
この発明は、画像読取装置および画像読取システムにおいて利用可能である。
【符号の説明】
【０１８０】
１    画像読取システム
１０、１０−１、１０−２    パーソナルコンピュータ
１００    画像読取装置
１１１    Ｗｅｂサーバ部
１１２    Ｗｅｂページ登録部
１１３    データフォーマット部
１１４    画像処理部
１１５    通知メール作成部
１１７    アドレス帳管理部
１２０    操作パネル
１２１    アドレス帳表示／選択部
１２３    スキャンパラメータ入力部
１２４    スキャン指示部
１３０    画像読取部
【図１】
2010212972.tif 000003
【図２】
2010212972.tif 000004
【図３】
2010212972.tif 000005
【図４】
2010212972.tif 000006
【図５】
2010212972.tif 000007
【図６】
2010212972.tif 000008
【図７】
2010212972.tif 000009
【図８】
2010212972.tif 000010
【図９】
2010212972.tif 000011
【図１０】
2010212972.tif 000012
【図１１】
2010212972.tif 000013
【図１２】
2010212972.tif 000014
【図１３】
2010212972.tif 000015
【図１４】
2010212972.tif 000016
【図１５】
2010212972.tif 000017
【図１６】
2010212972.tif 000018